(57)【要約】【課題】より均一的な吐水を行うことができるシャワーヘッドを提供すること。【解決手段】シャワーヘッドは、シャワーヘッド内部で基端側から先端側に延在する吐水管と、複数の散水孔が設けられた散水板と、散水板と吐水管を接続して散水板と吐水管の間に通水スペースを形成する通水部と、を備え、通水部は、吐水管の端部が接続される筒状の接続部と、散水板に対向する内面である対向面と、を有し、対向面には、接続部の下流端部に位置する開口から接続部の軸方向に見たときに開口と部分的に重なる主面を有する第１整流板が立設されている。【選択図】図１
2020116053.tif 000002
【特許請求の範囲】
【請求項１】
シャワーヘッド内部で基端側から先端側に延在する吐水管と、
複数の散水孔が設けられた散水板と、
前記散水板と前記吐水管を接続して前記散水板と前記吐水管の間に通水スペースを形成する通水部と、を備える、シャワーヘッドであって、
前記通水部は、前記吐水管の端部が接続される筒状の接続部と、前記散水板に対向する内面である対向面と、を有し、
前記対向面には、前記接続部の下流端部に位置する開口から前記接続部の軸方向に見たときに前記開口と部分的に重なる主面を有する第１整流板が立設されている、シャワーヘッド。
【請求項２】
前記対向面には、前記接続部の軸方向の延長線上に突起部が立設されており、
前記第１整流板は、前記突起部と前記接続部の前記開口との間に設けられている、請求項１に記載のシャワーヘッド。
【請求項３】
前記散水板の外周部に接続されるとともに前記通水部を覆うヘッド部をさらに備え、
前記突起部は、前記通水部を前記ヘッド部にネジ止めするためのボスとして用いられる、請求項２に記載のシャワーヘッド。
【請求項４】
前記対向面には、前記散水板を外側から正面視する方向から見たときに、前記接続部の前記軸方向に対して一方側と他方側に設けられた一対の第２整流板および第３整流板が立設されている、請求項１から３のいずれか１つに記載のシャワーヘッド。
【請求項５】
前記対向面には、前記散水板を外側から正面視する方向から見たときに、前記接続部の軸方向に対して一方側と他方側に設けられた一対の第２整流板および第３整流板が立設されており、
前記第２整流板および前記第３整流板は、前記突起部に連続して形成されている、請求項２又は３に記載のシャワーヘッド。
【請求項６】
前記第２整流板と前記第３整流板は、前記散水板を外側から正面視する方向から見たときに、前記接続部の軸方向に対して対称な形状を有する、請求項４又は５に記載のシャワーヘッド。
【請求項７】
前記第２整流板および前記第３整流板のそれぞれの高さは、前記第１整流板の高さよりも高い、請求項４から６のいずれか１つに記載のシャワーヘッド。
【請求項８】
前記第１整流板の前記主面は、前記接続部の前記軸方向に見たときに前記接続部の前記開口の半分以下の面積で前記開口と重なる、請求項１から７のいずれか１つに記載のシャワーヘッド。
【請求項９】
前記第１整流板は、前記散水板を外側から正面視する方向から見たときに、前記接続部の前記軸方向と直行する方向に延びる、請求項１から８のいずれか１つに記載のシャワーヘッド。
【請求項１０】
前記吐水管は、流路方向を湾曲させるエルボを先端部に備え、前記エルボは、前記通水部の前記接続部に嵌合して接続される、請求項１から９のいずれか１つに記載のシャワーヘッド。
【発明の詳細な説明】
【技術分野】
【０００１】
本発明は、シャワーヘッドに関する。
【背景技術】
【０００２】
従来のシャワーヘッドには、例えば、特許文献１に記載されているものが知られている。特許文献１に開示されるシャワーヘッドは、複数の散水孔が設けられた散水板を備え、散水板の中央には１つの吐水口が形成されている。特許文献１のシャワーヘッドはさらに、吐水口の上流側で水の流れを整える整流部と、整流部に水を流入させる流入口とを備える。整流部は、流入口と吐水口とに連通する整流室と、整流室に配置され、流入口から整流室に流入する水の流れを遮る遮蔽部材とを備える。遮蔽部材は、流入口と対向する対向面と、対向面から突出した突起部とを備える。突起部はその少なくとも一部が、流入口を流れの方向に沿って対向面に投影した投影領域に設けられる。
【先行技術文献】
【特許文献】
【０００３】
【特許文献１】特開２０１８−１１０７８１号公報
【発明の概要】
【発明が解決しようとする課題】
【０００４】
特許文献１のシャワーヘッドのように複数の散水孔から吐水を行う場合、それぞれの散水孔からできるだけ均一的に吐水を行うことが望ましい。特許文献１に開示される構成を含めて、より均一的に吐水を行うことに関して未だ改善の余地がある。
【０００５】
従って、本発明の目的は、上記問題を解決することにあって、より均一的な吐水を行うことができるシャワーヘッドを提供することにある。
【課題を解決するための手段】
【０００６】
上記目的を達成するために、本発明のシャワーヘッドは、シャワーヘッド内部で基端側から先端側に延在する吐水管と、複数の散水孔が設けられた散水板と、前記散水板と前記吐水管を接続して前記散水板と前記吐水管の間に通水スペースを形成する通水部と、を備える、シャワーヘッドであって、前記通水部は、前記吐水管の端部が接続される筒状の接続部と、前記散水板に対向する内面である対向面と、を有し、前記対向面には、前記接続部の下流端部に位置する開口から前記接続部の軸方向に見たときに前記開口と部分的に重なる主面を有する第１整流板が立設されている。
【発明の効果】
【０００７】
本発明のシャワーヘッドによれば、より均一的な吐水を行うことができる。
【図面の簡単な説明】
【０００８】
【図１】実施形態におけるシャワーヘッドの斜視図
【図２Ａ】プレス加工により形成された散水孔の模式断面図
【図２Ｂ】エッチングにより形成された散水孔の模式断面図
【図３】実施形態におけるヘッド部を省略したシャワーヘッドの斜視図
【図４】実施形態におけるシャワーヘッドの縦断面図
【図５】実施形態における通水部の正面図（散水板を平面視する方向から見た図）
【図６】実施形態における通水部の前方斜視図
【図７】実施形態における通水部の後方斜視図
【図８】実施形態における通水部の縦断面図
【図９】実施形態における通水部の側面図（接続部の軸方向から見た図）
【図１０】実施形態における通水部の水の流れを示す図（散水板を平面視する方向から見た図）
【図１１】図６の拡大図
【図１２】比較例のシャワーヘッドを示す斜視図
【図１３Ａ】比較例のシャワーヘッドを用いた吐水実験の結果を示す平面図
【図１３Ｂ】比較例のシャワーヘッドを用いた吐水実験の結果を示す断面図
【図１４Ａ】実施形態のシャワーヘッドを用いた吐水実験の結果を示す平面図
【図１４Ｂ】実施形態のシャワーヘッドを用いた吐水実験の結果を示す断面図
【発明を実施するための形態】
【０００９】
以下に、本発明に係る実施形態を図面に基づいて詳細に説明する。なお、この実施形態によって本発明が限定されるものではない。
【００１０】
（実施形態）
図１は、実施形態におけるシャワーヘッド２の概略斜視図である。
【００１１】
図１に示すシャワーヘッド２は、浴室において使用される浴室用のシャワーヘッドである。シャワーヘッド２は、グリップ４と、ヘッド部６と、散水板８とを備える。
【００１２】
グリップ４は、使用者がシャワーヘッド２を持つための部分である。ヘッド部６は、シャワーヘッド２の先端部を構成する部材である。ヘッド部６は、グリップ４に取り付けられている。ヘッド部６は円形に開口しており、開口部にて散水板８を保持している。散水板８の外周部にヘッド部６が接続されている。散水板８は、シャワー吐水用の板状の部材であり、複数の散水孔１０が表面に形成されている。
【００１３】
本実施形態のグリップ４およびヘッド部６の表面にはそれぞれメッキ層が形成されている。一方で、散水板８はその全体が金属（例えばステンレス）で形成されている。
【００１４】
本実施形態では、散水板８の散水孔１０は金属板のプレス加工により作られている。
【００１５】
プレス加工により作られた散水孔１０の模式断面図を図２Ａに示す。図２Ａに示すように、散水孔１０を形成している散水板８の縁部には、テーパー部１１が形成されている。テーパー部１１は、散水穴１０の中心に向かう方向に向かって傾斜した傾斜面である。水は散水孔１０に対して、図２Ａに示す紙面奥側から紙面手前に向かってＸ１方向に進む。
【００１６】
プレス加工ではなくエッチングにより形成した散水孔１００の模式断面図を図２Ｂに示す。図２Ｂに示すように、散水孔１００を形成する散水板１０２の縁部には、散水孔１００の中心に向かうように傾斜したテーパー部１０４が形成されている。水は散水孔１００に対して、図２Ｂに示す紙面奥側から紙面手前に向かってＸ２方向に進む。
【００１７】
図２Ａ、図２Ｂを比較すると、図２Ａに示すテーパー部１１の断面形状は直線的であるのに対して、図２Ｂに示すテーパー部１０４は曲線的である。また長さに関しては、図２Ｂに示すテーパー部１０４の方が図２Ａに示すテーパー部１１よりも厚み方向に長く形成されている。
【００１８】
それぞれの散水孔１０、１００は整流効果を有する。散水孔１０、１００のそれぞれの整流効果は前述したテーパー部１１、１０４の形状の違いによって、異なっている。具体的には、直線的で短いテーパー部１１を有する散水孔１０の方が整流効果は小さくなり、散水孔１０を通過する水の流量や方向にバラつきが生じやすい。
【００１９】
散水孔がプレス又はエッチングのいずれにより形成されたかどうかは、図２Ａ、図２Ｂに示すようなテーパー部の断面形状等により判断してもよい。
【００２０】
次に、シャワーヘッド２の内部構成について、図３、図４を用いて説明する。図３は、ヘッド部６を省略したシャワーヘッド２の斜視図であり、図４は、シャワーヘッド２の縦断面図である。
【００２１】
図３、図４に示すように、シャワーヘッド２の内部には、通水部１２、エルボ１４および吐水管１６が設けられている。
【００２２】
通水部１２は、吐水管１６と散水板８の間に通水スペース７（図４）を形成する部材である。通水部１２は、筒状の接続部１３を有する。接続部１３は、エルボ１４を接続するための筒状の部分である。接続部１３に対してエルボ１４が嵌合する。エルボ１４は、吐水管１６を通水部１２に接続するための筒状の部材である。エルボ１４は湾曲した形状を有し、エルボ１４によってシャワーヘッド２内部の流路方向が変更される。吐水管１６は、図示しない水供給源から供給される水をエルボ１４および通水部１２に向けて流す管状の部材である。エルボ１４に対して吐水管１６が嵌合する。
【００２３】
通水部１２、エルボ１４はヘッド部６の中に収納され、吐水管１６はヘッド部６およびグリップ４の中に収納される。吐水管１６は、シャワーヘッド２内部で基端側から先端側に延在している。
【００２４】
このような構成によれば、図４に示すように吐水管１６の中を水が流れると（矢印Ａ１）、エルボ１４に流入し（矢印Ａ２）、通水部１２に流入する（矢印Ａ３）。その後、散水板８からシャワー吐水される（矢印Ａ４）。
【００２５】
本実施形態では、通水部１２を樹脂製（例えば、ＰＯＭ（ポリアセタール））としている。通水部１２は水に直接接触する部材であるため、通水部１２を樹脂製とすることにより、金属製とした場合よりも水との接触による経年劣化を抑制することができる。なお、本実施形態では、エルボ１４を通水部１２と同じ樹脂製（例えば、ＰＯＭ）とし、吐水管１６を異なる材質の樹脂製（例えば、ＡＳＡ（Acrylate Sthrene Acrylonitrile））としている。
【００２６】
通水部１２が水に直接接触するのに対して、通水部１２を覆っているヘッド部６は水に直接接触しない。水に直接接触しないヘッド部６に対して前述したようにメッキ処理を施すことで、シャワーヘッド２の意匠性を向上させつつ、水との接触による経年劣化の生じにくい設計とすることができる。
【００２７】
図４に示すように散水板８からシャワー吐水する場合、複数の散水孔１０から均一に吐水することが好ましい。具体的には、散水板８の表面全体から均一的な流量、かつ散水孔１０のそれぞれから所望の方向に吐水を行うことが好ましい。特に実施形態の散水孔１０は、前述したようにプレス加工により作られており、エッチング加工の散水孔に比べて整流効果が小さく、均一的な吐水に関して改善の余地が多い。そこで、均一的な吐水を行うために本実施形態では特に、通水部１２の内部構造に工夫を行っている。具体的には、図５〜図９を用いて説明する。
【００２８】
図５〜図９はそれぞれ、通水部１２の正面図、前方斜視図、後方斜視図、縦断面図、側面図である。図５、図６、図８に示すように、通水部１２はその内側に通水スペース７を形成するとともに、図７に示すように、接続部１３を支持する本体部１５を備える。図８、図５、図６に示すように、本体部１５の内側には対向面１８が形成されている。対向面１８は、散水板８に対向する位置にある本体部１５の内面である。
【００２９】
図６等に示すように、接続部１３と本体部１５の境界部分には開口２２が形成されている。開口２２は、接続部１３の下流端部に位置する開口であり、対向面１８に向かって開口している。本実施形態の開口２２は円形であり、接続部１３の内部空間は円柱形状である。接続部１３の内部空間の中心軸を接続部１３の軸方向Ｂとする。軸方向Ｂは、開口２２を含む接続部１３の内部空間の流路方向に対応する。
【００３０】
図５、図６に示すように、本体部１５の内面には、対向面１８に隣接する位置に一対の内周壁１９Ａ、１９Ｂが形成されている。内周壁１９Ａ、１９Ｂの間には、内周壁２１が形成されている。内周壁２１は開口２２を形成している。内周壁１９Ａ、１９Ｂ、２１はいずれも、対向面１８から立ち上がる壁部である。
【００３１】
一対の内周壁１９Ａ、１９Ｂは、内周壁２１から外側に延びる。内周壁１９Ａ、１９Ｂはそれぞれ、通水スペース７の容積を小さくするように内周壁２１に対して傾斜している。
【００３２】
図５、図６、図８に示すように、対向面１８には突起部２４が形成されている。突起部２４は、対向面１８から散水板８に向かって突出する突起である。本実施形態の突起部２４は、通水部１２をヘッド部６に固定するためのボスとして機能する。具体的には、図５〜図７に示すように、突起部２４の中心部にはボス穴２６が形成されている。図８に示すようにボス穴２６にはネジ２３が通され、ヘッド部６に螺合する。図８では、ヘッド部６および散水板８の図示を省略し、図５〜図７ではネジ２３の図示を省略している。
【００３３】
本実施形態の突起部２４は、図５等に示すように、接続部１３の軸方向Ｂの延長線上に設けられている。
【００３４】
図５、図６に示すように、対向面１８には、複数の整流板２０Ａ〜２０Ｃが立設されている。具体的には、第１整流板２０Ａ、第２整流板２０Ｂおよび第３整流板２０Ｃが立設されている。整流板２０Ａ〜２０Ｃはいずれも、通水スペース７における水の流れを整えるための板状の部材である。
【００３５】
図５に示すように、第１整流板２０Ａは、第２整流板２０Ｂおよび第３整流板２０Ｃよりも開口２２に近い位置、すなわち、通水スペース７における流路方向の上流側に配置されている。
【００３６】
図９は、接続部１３の軸方向Ｂに見た通水部１２の側面図である。図９に示すように、第１整流板２０Ａは主面２５を有し、主面２５は、接続部１３の軸方向Ｂから見たときに開口２２に部分的に重複している。このような主面２５を有する第１整流板２０Ａを設けることで、接続部１３の開口２２から通水スペース７に流入した水の流速が、減速される。通水スペース７に流入した水は対向面１８に向かって進むところ、第１整流板２０Ａによって部分的に遮ることで、対向面１８に衝突する際の速度が減速される。これにより、対向面１８に衝突した後に反対側に跳ね返る方向への水の流れが少なくなる。このようにして、通水スペース７に流入した水を対向面１８から散水板８に向かってより均等に向かわせることができる。
【００３７】
図９に示す第１整流板２０Ａが開口２２に重複する面積は例えば、開口２２の面積のうちの半分以下に設定してもよい。このような面積の設定により、水の流速が過度に減速することを防止することができる。
【００３８】
第２整流板２０Ｂおよび第３整流板２０Ｃは、第１整流板２０Ａによって減速された水の流速をさらに減速させる機能を有する。本実施形態の第２整流板２０Ｂおよび第３整流板２０Ｃは、突起部２４の外周部に連続して形成されるとともに、一対の内周壁１９Ａ、１９Ｂから間隔を空けて配置されている。このような構成によれば、図１０に示すように、通水スペース７に流入した水は、突起部２４並びに第２整流板２０Ｂおよび第３整流板２０Ｃによって流路が分断される。前述したように、突起部２４は接続部１３の軸方向Ｂの延長線上に設けられているため、水の流路をより均等に分断することができる。さらに第２整流板２０Ｂおよび第３整流板２０Ｃを設けることによって、水の流路が中心からさらに離れる方向に分断される。流路が分断された水は、第２整流板２０Ｂと内周壁１９Ａの間の空間、および、第３整流板２０Ｃと内周壁１９Ｂの間の空間に流れる。このような流れを生じさせることで、通水スペース７に流入した水をより均等に散水板８に向かわせることができ、偏りの少ない均一的なシャワー吐水を行うことができる。
【００３９】
図１０、図５に示すように、散水板８を平面視する方向から見たときに、整流板２０Ａ〜２０Ｃはいずれも、接続部１３の軸方向Ｂに交差する方向に延びている。本実施形態では特に、第１整流板２０Ａは、接続部１３の軸方向Ｂに直交する方向に延びている。このような配置によれば、開口２２から通水スペース７に流入する水の流速をより均等に減速させることができる。
【００４０】
さらに本実施形態では、散水板８を平面視する方向から見たときに、第２整流板２０Ｂおよび第３整流板２０Ｃは、接続部１３の軸方向Ｂに対して一方側と他方側（すなわち、紙面左側と紙面右側）に設けられる。これにより、水の流れをより均等に分断させることができる。さらに本実施形態では、第２整流板２０Ｂおよび第３整流板２０Ｃは、接続部１３の軸方向Ｂに対して対称な形状を有する。これにより、水の流れをより均等に分断させることができる。
【００４１】
さらに本実施形態では、散水板８を平面視する方向から見たときに、第２整流板２０Ｂおよび第３整流板２０Ｃがそれぞれ延びる方向は、突起部２４のボス穴２６を通過する（図１０の点線参照）。このような構成によれば、突起部２４のボス穴２６を基準に第２整流板２０Ｂおよび第３整流板２０Ｃを配置することができ、設計が容易になる。
【００４２】
散水板８を平面視する方向から見たときに、第２整流板２０Ｂと第３整流板２０Ｃが成す角度αは例えば、６０度以上１５０度以下、あるいは９０度以上１２０度以下に設定してもよい。このような角度αの設定によれば、水の流速を適度に減速しながら、流路方向を所望の方向へ分断することができる。
【００４３】
図６の拡大図を図１１に示す。図１１に示すように、第１整流板２０Ａは高さＨ１を有し、第２整流板２０Ｂおよび第３整流板２０Ｃはそれぞれ高さＨ２を有する。本実施形態では、高さＨ１よりも高さＨ２の方が高くなるように設計している。このような構成によれば、第１整流板２０Ａにより水の流速を適度に減速しつつ、第２整流板２０Ｂおよび第３整流板２０Ｃによる水の分断効果を向上させることができる。
【００４４】
上述したように、本実施形態のシャワーヘッド２によれば、対向面１８には、主面２５を有する第１整流板２０Ａが立設されている。第１整流板２０Ａの主面２５は、接続部１３の下流端部に位置する開口２２から接続部１３の軸方向Ｂに見たときに開口２２と部分的に重なっている。このような構成によれば、通水スペース７に流入する水の流速を第１整流板２０Ａにより適度に減速させることができ、散水板８に向かってより均等に向かわせることができる。これにより、偏りの少ない均一的なシャワー吐水を実現することができる。
【００４５】
さらに本実施形態のシャワーヘッド２によれば、散水板８の外周部に接続されるとともに通水部１２を覆うヘッド部６を備え、突起部２４は、通水部１２をヘッド部６にネジ止めするためのボスとして用いられる。ヘッド部６を設けることで、ヘッド部６と通水部１２を異なる材質で形成することができる。また突起部２４をボスとして用いることで、ヘッド部６と通水部１２をネジ止めして固定することができる。
【００４６】
（実施例）
上述した整流板２０Ａ〜２０Ｃを有する実施形態のシャワーヘッド２を用いてシャワー吐水した場合の実験例について説明する。比較例として、整流板２０Ａ〜２０Ｃを有しないシャワーヘッドを用いて実験を行った。これら実施例と比較例のそれぞれの結果について、以下比較する。
【００４７】
図１２は、比較例のシャワーヘッド２００を示す。
【００４８】
図１２では、シャワーヘッド２００のヘッド部２０２および通水部２０４を示し、散水板の図示を省略している。図１２に示すように、通水部２０４の対向面２０６にはボス用の突起部２０８が設けられているものの、整流板は設けられていない。
【００４９】
図１２に示すシャワーヘッド２００を用いて吐水実験をした結果を図１３Ａ、図１３Ｂに示す。同様に、本実施形態のシャワーヘッド２を用いて吐水実験をした結果を図１４Ａ、図１４Ｂに示す。両実験ともに、通水部１２、２０４に流入させる水の流量を３０Ｌ／ｍｉｎとした。
【００５０】
図１３Ａ、図１３Ｂに示す比較例の結果によれば、不均一な吐水となっていることがわかる。具体的には、図１３Ｂに示すように対向面２０６に向かって水が高速で衝突することにより、対向面２０６から跳ね返る方向への水の流れが多く生じている。すなわち、散水板２１０の直下において、図１３Ｂでは紙面左側に向かう方向、図１３Ａでは紙面手前側に向かう方向（すなわち下方）の流れが多くなり、不均一な吐水となっていることがわかる。
【００５１】
一方で、図１４Ａ、図１４Ｂに示す実施例の結果によれば、図１３Ａ、図１３Ｂに示す比較例の結果よりも均一的な吐水となっていることがわかる。具体的には、図１４Ｂに示すように通水部１２に流入した水は整流板２０Ａ〜２０Ｃによって減速される。これにより、対向面１８に対して衝突する水の流速が弱まり、対向面１８から跳ね返る方向への水の流れも同様に弱まる。散水板８の直下においては、図１４Ｂでは紙面左側に向かう方向、図１４Ａでは紙面手前側に向かう方向の流れを抑制することができ、散水板８に向かってより均等に水を向かわせることができる。このようにして、散水板８から均一に吐水することができる。
【００５２】
さらに前述したように、突起部２４に隣接する位置に第２整流板２０Ｂおよび第３整流板２０Ｃを設けることにより、第１整流板２０Ａによって減速された水の流速をさらに減速するとともに、散水板８の中心から離れる方向へ水を案内することができる。このため、図１４Ａに示す散水板８の領域全体に向かってより均等に水を向かわせることができる。
【００５３】
上述した実験例の結果に基づき、本実施形態のシャワーヘッド２は、整流板２０Ａ〜２０Ｃを有することにより、散水板８から均一的にシャワー吐水できることがわかる。
【００５４】
なお、本発明は前記実施形態に限定されるものではなく、その他種々の態様で実施できる。例えば、実施形態では、第１整流板２０Ａに加えて第２整流板２０Ｂおよび第３整流板２０Ｃを設ける場合について説明したが、このような場合に限らない。例えば、第２整流板２０Ｂおよび第３整流板２０Ｃを省略して第１整流板２０Ａのみを設ける場合であってもよい。このような場合であっても、第１整流板２０Ａによる整流効果を奏することができる。
【００５５】
なお、上記様々な形態を適宜組み合わせることにより、それぞれの有する効果を奏するようにすることができる。
【００５６】
本発明は、添付図面を参照しながら好ましい実施形態に関連して充分に記載されているが、この技術の熟練した人々にとっては種々の変形や修正は明白である。そのような変形や修正は、添付した特許請求の範囲による本発明の範囲から外れない限りにおいて、その中に含まれると理解されるべきである。また、実施形態における要素の組み合わせや順序の変化は、本発明の範囲および思想を逸脱することなく実現し得るものである。
【産業上の利用可能性】
【００５７】
本発明は、浴室用等のシャワーヘッドに有用である。
【符号の説明】
【００５８】
２  シャワーヘッド
４  グリップ
６  ヘッド部
７  通水スペース
８  散水板
１０  散水孔
１１  テーパー部
１２  通水部
１３  接続部
１４  エルボ
１６  吐水管
１８  対向面
１９Ａ、１９Ｂ  内周壁
２０Ａ  第１整流板
２０Ｂ  第２整流板
２０Ｃ  第３整流板
２１  内周壁
２２  開口
２３  ネジ
２４  突起部
２５  主面
２６  ボス穴
１００  散水孔
１０２  散水板
１０４  テーパー部
２００  シャワーヘッド
２０２  ヘッド部
２０４  通水部
２０６  対向面
２０８  突起部
２１０  散水板
【図１】
2020116053.tif 000003
【図２Ａ】
2020116053.tif 000004
【図２Ｂ】
2020116053.tif 000005
【図３】
2020116053.tif 000006
【図４】
2020116053.tif 000007
【図５】
2020116053.tif 000008
【図６】
2020116053.tif 000009
【図７】
2020116053.tif 000010
【図８】
2020116053.tif 000011
【図９】
2020116053.tif 000012
【図１０】
2020116053.tif 000013
【図１１】
2020116053.tif 000014
【図１２】
2020116053.tif 000015
【図１３Ａ】
2020116053.tif 000016
【図１３Ｂ】
2020116053.tif 000017
【図１４Ａ】
2020116053.tif 000018
【図１４Ｂ】
2020116053.tif 000019